(57)【要約】【課題】  簡易に指示高さを調整できると共に調整後にずれることがなく、熟練しなくても測定斑が生じることなく測定でき、芝刈り機の高さ調節の作業を迅速かつ正確なものとする芝刈り機用高さ調整補助具を提供することを課題とする。【解決手段】  本発明の芝刈り機用高さ調整補助具は、芝刈り機の複数の接地箇所を亘ることのできる棒状体１と、この棒状体１からの距離を指示する指示手段２１を有して棒状体１に垂設される垂設体２と、前記棒状体１及び指示手段２１に挟装される挟装体３とを具備してなることを特徴とする。また前記芝刈り機用高さ調整補助具は、前記挟装体３を複数個具備してなり、これら挟装体３は、単独で或いは複数個が重なって、前記棒状体１及び指示手段２１間へ着脱自在に挟装されることが好ましい。【選択図】  図１
2006055105.tif 000002
【特許請求の範囲】
【請求項１】
芝刈り機の複数の接地箇所を亘ることのできる棒状体と、この棒状体からの距離を指示する指示手段を有して棒状体に垂設される垂設体と、前記棒状体及び指示手段に挟装される挟装体とを具備してなることを特徴とする芝刈り機用高さ調整補助具。
【請求項２】
前記挟装体を複数個具備してなり、これら挟装体は、単独で或いは複数個が重なって、前記棒状体及び指示手段間へ着脱自在に挟装されるものである請求項１記載の芝刈り機用高さ調整補助具。
【請求項３】
挟装体は、前記垂設体を挿通しうる挿通孔を有してなる請求項１又は２記載の芝刈り機用高さ調整補助具。
【請求項４】
垂設体が、皿ねじ形状の頭部を有する棒体であり、指示手段が、この皿ねじに対応する皿ワッシャーからなる請求項１、２又は３記載の芝刈り機用高さ調整補助具。
【発明の詳細な説明】
【技術分野】
【０００１】
本発明は、芝刈り機の芝刈高さや整草グルマーの接地面からの高さを調節する際の補助具として用いる芝刈り機用高さ調整補助具に関するものである。特に、下刃や整草グルマーの、調整後の高さを確認するために用いる。
【背景技術】
【０００２】
リール式の芝刈り機を用いた、比較的低く整った刈上がりの芝刈りに関して、しばしば、互いに異なる数種類の芝の刈高が必要とされる。例えばゴルフ場におけるグリーン部やその周囲のカラー部は、場所によって異なる刈高さが必要であり、これらの刈高さは厳密に規定されるため、そのための芝刈り機の正確な調節が頻繁に必要となる。
【０００３】
このような高さの異なる芝刈りに関して、従来、前方のローラーの両端に連結された垂直方向のボルトとこれに螺合するナットとによって、リール刃の高さを調節する芝刈り機が存在する（例えば、特許文献１参照）。これは、前方のローラーの相対位置を、リール刃を覆う切断ユニットに対して螺合構造によって上下に可変させるものである。
【０００４】
他に従来、リール刃を覆う切断ユニットのフレーム内に、垂直方向に整列した複数の孔を設けると共に、前方のローラーの両端にも孔を有する板体を設け、互いの孔をピン接合することで、リール刃の高さを調節する芝刈り機が存在する。これは、前方のローラーの相対位置を、リール刃を覆う切断ユニットに対してピン接合の構造によって上下に可変させるものである。
【０００５】
これらのリール刃の高さ調節の際は、調節後の接地面からの正確な高さや、前後左右の正確な水平度合いを確認することが必要となる。
【０００６】
この下刃や整草グルマーの高さ調節の確認に関し、ノギスを補助具として用いて、接地面との内幅を測定することも考えられる。
【０００７】
しかし、下刃や整草グルマーは芝刈り機の底部にあるため、これらの配設位置(配設高さ）をノギスを用いて図ることは困難であり、測定斑すなわち誤差が生じてしまう。このため、測定斑のない正確な測定を行うためには熟練が必要であり、簡易に刈高さを調整できなかった。
【０００８】
他に、長尺の棒状体を用意し、この一側面にボルトを任意量だけ捩じ込んでなる調節補助具を使用することも考えうる。これは例えば、ボルトがねじ込まれた棒状体側面を芝刈り機の前後輪の下端へ亘らせた状態で、ボルトの頭部を芝刈り機の下刃にあてて使用する。予めボルト頭部の棒状体からの距離を任意量とすることで、調節した下刃の接地面からの高さと、所望高さとの差を確認する調節補助具である。
【０００９】
しかし、螺合接続のみによって捩じ込み量を任意のものへ調整して固定するのは困難である。また、場合によればノギスによってボルトの頭部と棒状体との間隔を測ることとなり、手間がかかる。
【００１０】
【特許文献１】特開平６−６２６３６号公報
【発明の開示】
【発明が解決しようとする課題】
【００１１】
そこで、本発明は、簡易に指示高さを調整できると共に調整後にずれることがなく、熟練しなくても測定斑が生じることなく測定でき、芝刈り機の高さ調節の作業を迅速かつ正確なものとする芝刈り機用高さ調整補助具を提供することを課題とする。
【課題を解決するための手段】
【００１２】
（１）すなわち、本発明の芝刈り機用高さ調整補助具は、芝刈り機の複数の接地箇所を亘ることのできる棒状体１と、この棒状体１からの距離を指示する指示手段２１を有して棒状体１に垂設される垂設体２と、前記棒状体１及び指示手段２１に挟装される挟装体３とを具備してなることを特徴とする。
【００１３】
このようなものであれば、棒状体１を芝刈り機の接地箇所に亘らせて当接させ、芝刈り機の整草グルマーＧ或いは下刃Ｂ１に指示手段２１を当てることで、整草グルマーＧ或いは下刃Ｂ１の配設高さを容易に確認することができる。このとき、挟装体３が棒状体１及び指示手段２１に挟装されるため、容易に指示高さＨを調節でき、また調節後の指示高さＨがずれることもない。
【００１４】
（２）前記芝刈り機用高さ調整補助具は、前記挟装体３を複数個具備してなり、これら挟装体３は、単独で或いは複数個が重なって、前記棒状体１及び指示手段２１間へ着脱自在に挟装されるものであることが好ましい。
【００１５】
このようなものであれば、複数個の挟装体３のうち、任意の高さのものを、単独で、或いは任意の数だけ重ねて挟装させることができる。これにより、挟装体３を挟装した指示手段２１が、必要に応じた刈高さや整草グルマーＧの高さを指示するように容易に、しかも精度よく確実に調節できる。ひいては、刈り込み現場における刈高さの調節作業の効率を向上させることができる。
【００１６】
また特に、必要な最低の指示高さＨを指示できる挟装体３を取り付けておくと、複数個を挟装させた後に複数のうち一部の挟装体３を取り外すことによって、元の低い刈り込み高さへと容易且つ確実に変えることができる。
【００１７】
（３）挟装体３は、前記垂設体２を挿通しうる挿通孔３ｈを有してなることが望ましい。
【００１８】
このようなものであれば、挿通孔３ｈへ垂設体２を挿通させることで、取り付けた挟装体３のずれや傾きによる指示高さＨの歪みを回避することができる。これにより、指示高さＨを確実に保持することができる。
【００１９】
（４）垂設体２が、皿ねじ形状の頭部を有する棒体であり、指示手段２１が、この皿ねじに対応する皿ワッシャ−２１ａからなるものとしてもよい。
【００２０】
ここで皿ねじ形状の頭部とは、長手端方向（更にいえば、棒状体１と離れる端方向）へ行くに従って、側面が錐状に拡径する頭部をいう。頂面が平面であるか否かは問わない。
【００２１】
このようなものであれば、挟装体３を皿ワッシャ−２１ａで抑えることで、簡易な機構をもって確実に挟装させることができる。また、挟装のわずかな緩みでも、皿ねじ形状の頭部で固定された皿ワッシャ−２１ａが遊動しやすいことから、挟装の緩みによる指示高さＨの歪みを早期に発見できるものとなる。ひいては、測定斑のない正確な指示高さＨを確認できるものとなる。
【発明の効果】
【００２２】
本発明は、上述のような構成としたことで、容易且つ確実に正確な一定の刈高さへ調節することができる。また、刈高さの異なる複数台の芝刈り機を用意する必要が無いことから、刈り込み現場への運搬が容易であり、比較的安価であり、作業効率を向上させることのできる芝刈高さ調節機構及びこれを備えた芝刈り機を得ることができる。
【発明を実施するための最良の形態】
【００２３】
以下、本発明を実施するための最良の形態を、実施例として示す各図と共に説明する。図１に、本発明の芝刈機用高さ調節補助具の斜視概観図を示す。図２に、２本の垂設体を垂設させ、各垂設体にそれぞれ１個及び複数個の挟装体を挟装させた状態の側面図を示す。また図３ないし図５に、挟装体をそれぞれ１個、３個及び２個挟装させた状態を示す断面図を示す。図６、図７に使用状態例の側面視説明図を示す。
【００２４】
本発明の芝刈り機用高さ調整補助具は、芝刈り機の複数の接地箇所を亘ることのできる棒状体１と、この棒状体１からの距離を指示する指示手段２１を有して棒状体１に垂設される垂設体２と、前記棒状体１及び指示手段２１とに挟装される複数個の挟装体３と、を具備してなる。
【実施例１】
【００２５】
（棒状体１）
棒状体１は、芝刈り機の複数の接地箇所を亘ることのできる長さおよび形状をしており、芝刈り機において、高さ調節を行う下刃Ｂ１や整草グルマーＧを介した前後或いは左右の接地箇所を亘ることができる。実施例では、芝刈り機の前後輪Ｗ１、Ｗ２を亘ることができ、また前輪Ｗ１或いは後輪Ｗ２の左右を亘ることができる平板状の棒状体１である。
【００２６】
棒状体１の側面のうち、後述の垂設体２を垂設させる面を垂設側面１ａとしたとき、この垂設側面１ａの両端付近に芝刈り機の前後輪Ｗ１、Ｗ２或いは左右輪を当接させて使用するものである。
【００２７】
棒状体１には、垂設体２を挿入する垂設孔１ｈが一個又は複数個設けられる。実施例では、棒状体１の前記平板面を貫通するよう、複数箇所に内円筒状に、内ねじを切って設けられている。垂設孔１ｈが設けられる位置は、棒状体１の長手方向中央付近及び端部付近の計３箇所である（図１、図２）。これは、棒状体１が芝刈り機の接地箇所である前後輪Ｗ１、Ｗ２を亘ったときに、それぞれ高さ調節を行う下刃Ｂ１或いは整草グルマーＧの付近に位置するような位置である。
【００２８】
なお垂設孔１ｈは、垂設体２の雄ねじ部２０ｓに螺合する雌ねじを内ねじとして切ってあるが、この他、内ねじを切らない内円筒側面を有し、かつ捩じ込み時に内ねじを切らずにねじ込まれるものとすれば、垂設体２を迅速に垂設することができる。
【００２９】
（垂設体２）
垂設体２は、皿ねじ形状の頭部を有する柱体であり、垂設体２固定手段によって固定される。実施例では、汎用性があり安価に入手できる皿ねじボルト２０と、この皿ねじボルト２０の雄ねじ部２０ｓに螺合する蝶ねじ２２ａとから構成される。
【００３０】
ここで、本発明に言う皿ねじ形状の頭部とは、側面が皿ねじ形状であることを意味する。具体的には、長手一端方向へ行くに従って、側面が錐状に拡径するような頭部をいう。この頭部は側面が錐体であればよく、頂面の形状、すなわち頭部の頂面が平面（皿面）であること、或いは凸曲面（なべ面）、或いはすり鉢状などの凹面であることは問わない概念である。なお実施例の皿ねじボルト２０の頂面は、六角レンチ用の六角穴が刻設されている。
【００３１】
垂設体２の長さは、少なくとも棒状体１の垂設厚さよりも長く、棒状体１を横断して挿通しうるものであれば良い。必要な指示高さＨに応じたものとしており、図２に示すような長いものと短いものとの複数本を用意してもよい。図２に示すように、長さの異なる垂設体２を、垂設孔１ｈの複数箇所へ同時に垂設させたものとすれば、垂設孔１ｈの位置に応じた複数箇所の高さ指示を同時に行うものとなり、より作業効率に優れたものとなる。特に、例えば芝刈り機の前後輪Ｗ１、Ｗ２間の中央付近の下刃Ｂ１と、中央よりやや前方寄りの整草グルマーＧのように、芝刈り機への配設水平位置が異なる複数の高さ調節を行う際に優れる。
【００３２】
複数本の垂設体２を詳述するに、例えば、雄ねじ部２０ｓの長さ４０ないし６０ｍｍ程度の皿ねじボルト２０を用意することで、ゴルフ場のラフの芝刈りのような比較的高い下刃Ｂ１高さに対応しうる。これとは別に、雄ねじ部２０ｓの長さ４ないし１０ｍｍ程度の皿ねじボルト２０を用意すれば、ゴルフ場のグリーンの芝刈りのような比較的低い下刃Ｂ１高さや整草グルマーＧの配設高さに対応しうる。
【００３３】
蝶ねじ２２ａは、棒状体１の側面のうち、垂設体２の垂設方向と相反する逆側面から捩じ込まれることで、垂設体２を棒状体１へ固定するものである。
【００３４】
（挟装体３）
挟装体３は、棒状体１の一側面と指示手段２１との間に挟装してその間隔、すなわち挟装高さを保持するスペーサーである。実施例では、互いに同じ高さ及び異なる高さの円筒体が複数個構成されてなる。  挿通孔３ｈへ垂設体２を挿通させることで、取り付けた挟装体３のずれや傾きによる指示高さＨの歪みを回避することができる。これにより、指示高さＨを確実に保持することができる。
【００３５】
それぞれの挟装体３は、単独で或いは複数個が重なって、前記棒状体１及び指示手段２１間へ着脱自在に挟装される。特にこれら挟装体３は、単独の状態で及び複数個が重なった状態のいずれの状態でも着脱自在に挟装されることが、単独および複数個の挟装体３による挟装高さＨのバリエーションが多くなるため、好ましい。実施例では挟装体３の挟装面が円形平面からなり、この円形平面と同心円状に円形の挿通孔３ｈが設けられるため、挟装高さが垂設体２の軸に対して偏ることがない。
【００３６】
また、挟装高さＨに応じて挟装面の代表長さが異なるものとしてもよい。例えば、複数個あるそれぞれの挟装体３は、円形平面の半径が挟装高さＨに比例するものとすれば、挟装高さＨを触感或いは直感的に把握することができるため、希望する指示高さを容易に、しかも精度よく指示するように挟装することができる。ひいては、刈り込み現場における刈高さの調節を確実にし、調節作業の効率を向上させることができる。
【００３７】
また特に、必要な最低の指示高さＨを指示できる最小指示高さＨの挟装体３を取り付けておくと、複数個を挟装させた後に複数のうち一部の挟装体３を取り外すことによって、元の低い刈り込み高さへと容易且つ確実に変えることができる。
【００３８】
例えば実施例では、高さがそれぞれ５ｍｍ、１ｍｍ、０．５ｍｍ、０．３ｍｍ、０．２ｍｍおよび０．１ｍｍの円筒体を１個ずつ用意し、高さ１０ｍｍ、２ｍｍの円筒体を２個ずつ用意してなる。このうち高さ２ｍｍのものを予め挟装して、最も低い整草グルマーＧの高さ調節に対応するようにしておく。
【００３９】
これに０．１ｍｍないし２ｍｍまでの任意の円筒体を加えることで、０．１ｍｍ単位のほとんどの挟装高さを確保することができる。これは、ゴルフ場の各種グリーンの芝刈りのような、比較的低く、かつ正確で均等な芝高さが必要とされる状況に適したものである。
【００４０】
また予め挟装させた２ｍｍの挟装体３に加えて２ｍｍの別の挟装体３を加えたり、２ｍｍおよび１ｍｍの二つの挟装体３を加えることで、ゴルフ場のカラー部の芝刈りのような、やや高い芝刈りの高さ調節に対応できる。
【００４１】
更にこのような挟装体３を組み合わせた状態や、２ｍｍの円筒体のみを挟装させた状態で、さらに高さ５ｍｍ或いは１０ｍｍの円筒体を複数個組み合わせることで、比較的高いゴルフ場のラフ部などの芝刈りに、迅速に対応できる。
【００４２】
挟装体３はまた、前記垂設体２を挿通しうる挿通孔３ｈを有してなる。実施例の挿通孔３ｈは、垂設体２の棒状体１よりも一回り大きい内円筒からなる。内ねじを切らない内円筒側面を有し、かつ捩じ込み時に内ねじを切らずにねじ込まれるものとしているため、挟装体３を垂設体２へ迅速に取り付けることができる。
【００４３】
（指示手段２１）
指示手段２１は、垂設体２の端部付近或いは中間部に、前記棒状体１の垂設側面１ａからの距離を指示するものとして設けられる。垂設体２の垂設方向と交わる側方向へ突出する側方凸部を有するものであれば、簡易な構造をもって高さを指示できるため、好ましい。側方凸部は、棒体である側周を拡径するような駒状、あるいは平板状の円盤体であれば、いずれの側方向かを問わず垂設体２の全周囲を指示できる。
【００４４】
実施例では、皿ボルトの頭部を均等に拡径するワッシャーからなる。汎用品のワッシャーであれば、安価でありながら精度に優れる。但しワッシャーの内径は、垂設体２の皿ねじに対応する大きさである。更に言えば、皿ワッシャ−２１ａからなること、具体的には、皿ねじ形状の頭部の外側面に対応した、円錐状の内側面を有し、かつ、上下面が平面からなる円盤であることが望ましい。
【００４５】
このようなものであれば、挟装体３を皿ワッシャ−２１ａで抑えることで、簡易な機構をもって確実に挟装させることができる。また、挟装のわずかな緩みでも、皿ねじ形状の頭部で固定された皿ワッシャ−２１ａが遊動しやすいことから、挟装の緩みによる指示高さＨの歪みを早期に発見できるものとなる。ひいては、測定斑のない正確な指示高さＨを確認できるものとなる。なお、皿ワッシャ−２１ａの遊動は、皿ねじ形状の頭部とワッシャー孔との接触側面が、挟装方向に対して斜めの方向を向くため、挟装力が逃げやすいことによるものである。
【００４６】
（使用方法例）
上記構成をした本発明の芝刈り機用高さ調節補助具は、芝刈り機の刈高さや整草グルマーＧの高さを調節する際の補助具として、以下のように用いる。単数の挟装体３を選んで、或いは複数の挟装体３を適宜組み合わせて、棒状体１と皿ワッシャ−２１ａ（指示手段２１）との間に挟装する。具体的には、皿ワッシャ−２１ａを嵌めた皿ねじボルト２０に、任意の挟装体３を、単独で或いは重ねて挿通させた上で、垂設体２を棒状体１の任意の固定孔に通し、その皿ねじボルト２０の先端から蝶ねじ２２ａを螺合固定することで挟装する。
【００４７】
これによって、皿ワッシャ−２１ａと棒状体１の距離を任意のものに保持して使用する。そして、例えば使用状態を示す図６のように、回転式の回転刃Ｂ２と調節固定式の下刃Ｂ１とを有する芝刈り機において刈高さを調節する際には、棒状体１の垂設側面１ａを芝刈り機の前輪Ｗ１及び後輪Ｗ２の下端へ当接させ、皿ワッシャ−２１ａの下縁を芝刈り機の下刃Ｂ１に当たる状態とする。もって、刈高さ（下刃Ｂ１の調節固定高さ）を確認することで、刈高さの調整を補助するものである。
【００４８】
また調整後には、指示高さＨをロックするために蝶ねじ２２ａを締め付けるのであるが、たとえこの締め付けの際にボルトが回転してしまい、指示高さＨがずれるようなことがあっても、皿ワッシャ−２１ａの遊動によってこれを容易に発見できる。ひいては、刈高さ調節の作業を迅速或いは正確に行うことができる。
【００４９】
また、ゴルフ場などでは、しばしば複数の刈高さが必要とされる。また、整草グルマーＧの必要高さは通常、下刃Ｂ１の必要高さよりも小さい。このため、本発明の芝刈り機用高さ調整補助具は、芝刈り現場にて複数の高さ指示を行うことが必要となる。
【００５０】
ここで、必要な複数の指示高さＨのうち、最も低い指示高さＨを必要最小指示高さＨとしたとき、複数のうち一の挟装体３の挟装高さを、必要最小指示高さＨとすると共に、他の挟装体３の挟装高さを、必要最小指示高さＨと他の必要指示高さＨとの差とすることが望ましい。
【００５１】
このような必要最小指示高さＨの挟装体３を予め単独で挟装しておく。これにより、最も低い指示高さＨを予め正確に調節しておくことができる。そして、指示高さＨを可変させるときには、他の任意の挟装高さの挟装体３を加えることで、必要な指示高さＨとの差を補うだけで容易に挟装高さを可変させることができる。また特に、一定の高い刈高さへと調節した後も、加えた他の挟装体３を必要に応じて取り除いて図３の状態とすることで、元の最小指示高さＨを正確に指示することができる。
【００５２】
そして、より高い刈高さｈ１へと調節する際には、図４に示すように挟装体３を加えて、複数個の組み合わせとして挟装させる。これにより、加えた挟装体３の挟装高さの合計量だけ確実に刈高さを高くして、より高い指示高さＨへと調節することができる。更に、図４に示す刈高さへと調節した後に、加えた挟装体３を取り外すことで、図３に示すように予め設定した最も低い指示高さＨへと迅速且つ確実に戻すことができる。
【００５３】
その他、各部の具体的な構成は、上述した実施例に限定されるものでなく、本発明の趣旨を逸脱しない範囲で種々の変形が可能である。
【産業上の利用可能性】
【００５４】
このようにして得られた芝刈り機用高さ調節補助具は、主に、最も低い刈高さにおいて正確な刈高さが規定されるゴルフ場の芝刈りにおいて使用される芝刈りの芝刈り高さおよび整草グルマーの調節後の高さ確認として好適に用いられるが、その他、芝刈り機の種々機構の高さ確認として用いることができる。
【図面の簡単な説明】
【００５５】
【図１】本発明の実施例１の芝刈り機用高さ調節補助具の斜視概観図である。
【図２】２本の垂設体を垂設させ、それぞれに挟装体を挟装させた、実施例１の芝刈り機用高さ調節補助具の側面図である。
【図３】１個の挟装体を挟装させた、実施例１の芝刈り機用高さ調節補助具の側面視部分断面図である。
【図４】図３において更に複数の挟装体を挟装させた、実施例１の芝刈り機用高さ調節補助具の側面視部分断面図である。
【図５】図３とは異なる複数の挟装体を挟装させた、実施例１の芝刈り機用高さ調節補助具の側面視部分断面図である。
【図６】実施例１の芝刈り機用高さ調節補助具の使用状態を示す側面視説明図である。
【図７】図６の側面視説明図の部分拡大図である。
【符号の説明】
【００５６】
１  棒状体
１ｈ  垂設孔
１ａ  垂設側面
２  垂設体
２０  皿ねじボルト
２０ｔ  皿ねじ頭
２０ｕ  六角穴
２０ｓ  雄ねじ部
２１  指示手段
２１ａ  皿ワッシャー
２２ａ  蝶ねじ
３  挟装体
３ｈ  挿通孔
Ｈ  指示高さ
Ｂ１  下刃
Ｂ２  回転刃
Ｇ  整草グルマー
Ｗ１  前輪
Ｗ２  後輪
【図１】
2006055105.tif 000003
【図２】
2006055105.tif 000004
【図３】
2006055105.tif 000005
【図４】
2006055105.tif 000006
【図５】
2006055105.tif 000007
【図６】
2006055105.tif 000008
【図７】
2006055105.tif 000009